(57)【要約】【課題】足付碁盤を椅子に座った状態で疲労感なしに使用することができ、碁笥と碁盤面を適切な高さに支持しうるとともに、使用後には邪魔にならない囲碁対局台を提供することである。【解決手段】二枚の框体間に挟持された二枚の板からなる碁盤支持体で、碁盤の裏面であって長手方向で相対向する二本の足に接する二本の線に挟まれた面を支持することにより、碁盤を安定に支持するとともに、碁盤下に対局者の足が入るようにした。また框体と碁盤支持体の固定位置を上下に変えられるようにすることにより、碁盤面を碁盤の厚さ、椅子の高さに応じて適切な高さに設定できるようにした。さらに、框体の上端部には分割折りたたみ可能な碁笥支持板を取り付け、小型化を図るとともに碁盤セットの際の損傷のおそれをなくした。  さらに碁盤支持体を中間部分で折りたたみ可能な構造にすることにより、使用後は囲碁対局台を小さく折りたたむことができ、狭い場所にも収納可能になった。【選択図】  図２
2005066288.tif 000002
【特許請求の範囲】
【請求項１】
相対向する二枚の框体（１ａ、１ｂ）と、該二枚の框体間に垂直に挟持された板状または四角柱状体もしくはこれらの形状を複数の棒状体から形成されてなる碁盤支持体（２）と、該二枚の框体の上端に接して設けられた碁笥支持板（３ａ、３ｂ）からなり、該碁盤支持体により碁盤（５０）の裏面であって該碁盤の長手方向で相対向する二本の足の内側面に接する二本の線（５１ａ、５１ｂ）に挟まれた面の一部または全部で碁盤を支持することを特徴とする囲碁対局台。
【請求項２】
相対向する二枚の框体（１１ａ、１１ｂ）と、該二枚の框体間に垂直に挟持された二枚の板を平行に相対向させて垂下配置してなる碁盤支持体（１２ａ、１２ｂ）と、該二枚の框体の上端に接して設けられた碁笥支持板（１３ａ、１３ｂ）からなり、該碁盤支持体により碁盤（５０）の裏面であって該碁盤の長手方向で相対向する二本の足の内側面に接する二本の線（５１ａ、５１ｂ）に挟まれた面の一部で碁盤を支持することを特徴とする囲碁対局台。
【請求項３】
該二枚の框体間に挟持された該碁盤支持体の固定位置を上下に変えられる手段が講じられた請求項１又は請求項２に記載の囲碁対局台。
【請求項４】
該碁盤支持体の二枚の板の両端部分及び中間部分に水平方向に屈曲可能な手段が講じられ、該二枚の板を屈曲させることにより折りたたみ可能とした請求項２に記載の囲碁対局台。
【請求項５】
該碁笥支持板それぞれが二枚に分割折り曲げ可能とされ、その一枚の下面が該二枚の框体の上端面にそれぞれ載置して固定され、他の一枚が框体の外側に垂下するように折りたたみ可能である請求項２に記載の囲碁対局台。
【請求項６】
該二枚の框体面であって該碁盤支持体上端面よりも低い位置に、複数枚の板状物を水平面内で屈曲可能な状態で繋いだ折りたたみ板またはフレキシブルアームからなる歪曲防止板を、該歪曲防止板の両端で接続した請求項２に記載の囲碁対局台
【発明の詳細な説明】
【技術分野】
【０００１】  本発明は囲碁用具に関するものであり、詳しくは椅子に座って使用する囲碁対局台に関するものである。
【背景技術】
【０００２】  日本では古くから囲碁が広く親しまれている。囲碁の用具として、碁盤と碁石が用いられる。碁盤には足付碁盤と卓上碁盤がある。足付碁盤は、縦４５．５ｃｍ、横４２．５ｃｍ、厚さ７〜２０ｃｍほどの板に４本の足をつけ、全体として高さが２０〜３５ｃｍくらいに作られたものである。また、卓上碁盤は盤面の広さは足付碁盤と同じで、厚さ２〜９ｃｍくらいの板を用いたものである。【０００３】  足付碁盤は碁石の打ち感覚に優れており、古くから多くの囲碁愛好者に親しまれている。しかしながら、足付碁盤は座って打つように作られているために、長時間にわたり囲碁を楽しむ時には、足のしびれや痛み、座っていることによる疲労感を受けることから、若年者、高齢者にかかわらず、足付碁盤のよさを知りながらもその使用をためらっている状況である。
プロ棋士界においてすら、主要なタイトル戦の場合は足付碁盤を用いて行われているものの、それ以外のタイトル戦の多くは卓上碁盤を用いた椅子席での戦いが行われている。また、足付碁盤を使用する場合、碁笥は畳の上にじかに置かれることから、碁盤面の高さと碁笥との高さに大きな差があり、対局者に碁笥が見えにくいという不具合もあった。【０００４】  これらの不具合を解消する方法として、足付碁盤を椅子に座って使用できるようにした囲碁対局台も市販されている。例えば、碁盤より若干大きな箱型の台の上面を碁盤を載せる面とし、台の上面端に碁笥支持板を折りたたみ可能にして取り付けた囲碁対局台が（財）日本棋院から販売されている。
また四本の足を支柱とし上面及び中間に棚を設け、上面部分に碁盤を載せ、上面の端に碁笥支持板を折りたたみ可能にして取り付けた囲碁対局台が青山碁盤店から販売されている。
【非特許文献１】  「（財）日本棋院ホームページ記載の商品カタログ」、２００３年８月１３日
【非特許文献２】  「青山碁盤店ホームページ記載の商品カタログ」、２００３年８月１３日
【発明の開示】
【発明が解決しようとする課題】
【０００５】  しかしながら、これら従来の囲碁対局台ではいずれも碁盤の幅よりも広い箱状物が床面近くまで達しており、碁盤の下に人の足の入る余地がないことから、使用中に疲れると言う欠点があった。また碁笥を置く部分が碁盤を載せる面と同じ高さであることから、碁笥が見えにくいという不具合は解消されていなかった。さらに、碁盤を置く面の高さが固定されていることから、使用する椅子の高さ、あるいは碁盤の厚さによっては、碁盤面の高さが適切な状態にならないために、使い勝手が悪いという欠点があった。
さらに、これら従来の囲碁対局台では碁笥を置く台しか折りたたむことができないために小型にならず、使用後には邪魔になると言う不都合があった。【０００６】  したがって、本発明が解決しようとする課題は、足付碁盤を疲労感なしに使用することができ、碁笥と碁盤面を適切な高さに支持しうる囲碁対局台を提供することであり、さらに使用後には小型に折りたたむことができる囲碁対局台を提供することである。
【課題を解決するための手段】
【０００７】  課題を解決するための第一の発明は、相対向する二枚の框体（１ａ、１ｂ）と、該二枚の框体間に垂直に挟持された板状または四角柱状体もしくはこれらの形状を複数の棒状体から形成されてなる碁盤支持体（２）と、該二枚の框体の上端に接して設けられた碁笥支持板（３ａ、３ｂ）からなり、該碁盤支持体により碁盤（５０）の裏面であって該碁盤の長手方向で相対向する二本の足の内側面に接する二本の線（５１ａ、５１ｂ）に挟まれた面の一部または全部で碁盤を支持することを特徴とする囲碁対局台である。【０００８】  また、第二の発明は、相対向する二枚の框体（１１ａ、１１ｂ）と、該二枚の框体間に垂直に挟持された二枚の板を平行に相対向させて垂下配置してなる碁盤支持体（１２ａ、１２ｂ）と、該二枚の框体の上端に接して設けられた碁笥支持板（１３ａ、１３ｂ）からなり、該碁盤支持体により碁盤（５０）の裏面であって該碁盤の長手方向で相対向する二本の足の内側面に接する二本の線（５１ａ、５１ｂ）に挟まれた面の一部で碁盤を支持することを特徴とする囲碁対局台である。【０００９】  上記第一の発明による作用は次の通りである。すなわち、図１に示すように二枚の框体（１ａ、１ｂ）間に板状または四角柱状もしくはこれらの形状を複数の棒状物から形成してなる碁盤支持体（２）を垂直に挟持させ、この上に足付碁盤の裏面であって碁盤の長手方向で対向する二本の足に接する二本の線に挟まれた面の一部または全部で碁盤を支持させる方法である。このように碁盤裏面の内側で支持することによって、碁盤の下に人の足を入れるスペースが確保され、疲労を感じることなしに長時間にわたり囲碁を楽しむことができる。【００１０】  ここで框体とは、床面から所望の高さに安定した状態で碁盤支持体を挟持させるためのものであり、その形状は、一枚の平板であってもよく、中間が抜けた枠状のものであってもよく、あるいは凹字型、逆凹字型であっても良く、特に限定されない。
框体の幅は碁盤支持体を挟持でき、碁笥支持板を支持し得ればよく特に限定されないが、囲碁対局台全体の形状的なバランスなどから、通常は２５〜５５ｃｍ、好ましくは３５〜５０ｃｍ程度である。
また、框体の高さは碁笥支持板の高さを定めることとなることから通常は、４０〜７０ｃｍ、好ましくは４５〜６０ｃｍである。【００１１】  碁盤支持体は、碁盤の裏面であって長手方向で対向する二本の足の内側で接する二本の線（５１ａ、５１ｂ）に挟まれた部分の一部分または全部で碁盤を支持するものであり、碁盤の横方向全体で支持してもよく、あるいは４本の足に挟まれた部分のみで支持してもよいが、安定性の面から碁盤の横幅全体で支持するのが好ましい。【００１２】  碁盤支持体の形状は、板状のもの、断面が四角柱状のもの、四角筒状のもの、凹字型、逆凹字型、あるいは、これらの形状を複数の棒状体を組み合わせて作られたものであっても良い。しかし、これらの形状の内、碁盤に予測しない横向きの外力がかかった場合においても安定して碁盤を支持することができる点から碁盤支持部分から垂下する壁を形成する断面が四角柱状、四角筒状、凹字型、逆凹字型などのものが好ましい。なお、四角筒状、凹字型、逆凹字型の作用は四角柱状とほぼ同じであることから、ここではこれらを全て四角柱状に含まれるものとする。【００１３】  また、該二枚の框体の上端部分に接して碁笥支持板が設けられる。碁笥支持板は一枚の板をタボを用いたはめ込み方式にして、使用時のみ固定する取り外し可能な板とすることもできるが、図１に示すように一枚の板を蝶番で框体の外側に垂下折りたたみ可能な状態で固定したものが好ましい。折り曲げ可能にすることによって、使用後に囲碁対局台を小さくすることができる。【００１４】  このほか、二枚の框体と碁盤支持体との固定位置を上下に変えられるような手段を講じることによって、碁盤面の高さを碁盤の厚さ、及び椅子の高さに応じて好適な状態に保つことができる。
ここで、固定位置を変える方法としては、碁盤支持体の両端面にそれぞれナットを埋め込み、二枚の框体には上下に適当な間隔で孔を設けるとともに、この孔を介してボルトで框体と碁盤支持体の固定位置を変える方法、または框体と碁盤支持体間を変更可能なはめ込み方式、あるいはフック方式などでおこなうことができる。【００１５】  第二の発明による作用は次の通りである。
図２により説明するが、框体（１１ａ、１１ｂ）は前記したものと同様のものである。二枚の框体に二枚の板を平行に対向させてなる碁盤支持体を框体に垂直に挟持させ、これに碁盤の相対向する二本の足の内側面に接する二本の線（５１ａ、５１ｂ）に挟まれた面の一部を支持するものである。これによって、碁盤の裏面を支持するばかりでなく、碁盤に何らかの横向きの力がかかった場合においても、垂下する板の側面により碁盤の足側面を支える事ができることから、碁盤を安定した状態で支持することができる。
また、これによって、碁盤の下に人の足を入れるスペースが確保され、疲労を感じることなしに長時間にわたり囲碁を楽しむことができる。【００１６】  また、碁盤支持体の二枚の板の中間部分に一箇所以上、および両端面を水平方向に屈曲可能な構造にすることによって囲碁対局台を折りたたみ可能にすることができる。例えば、図２に示すように、二枚の板の中央部分に蝶番を設けて屈曲可能にし、さらに二枚の板の両端部分に蝶番を介して固定用板をつけた構造にして框体に挟持させ、二枚の板の中央部分をそれぞれ外側に押し出すように折り曲げることにより折りたたむことができる。
屈曲可能にする方法としては、蝶番を用いる方法のほか、碁盤支持体の板自体に孔を設けて蝶番のように組み合わせる方法も採ることができる。
このように囲碁対局台を折りたたみ可能とすることによって、使用しないときには、狭い場所にも収納可能になる。【００１７】  なお、碁盤支持体の二枚の板の中間部分を水平方向に屈曲可能にする箇所数は、二枚の板の分割長さ割合を変えることにより通常は１から５程度可能であるが、屈曲させる箇所が多くなると碁盤支持体の強度が低下することから好ましくは１から３である。【００１８】  碁盤支持体の二枚の板の垂下する部分の長さは碁盤を支持するための強度、蝶番の強度保持、及び碁盤の安定支持上から通常は７〜２５ｃｍ、好ましくは１０〜２０ｃｍである。
碁盤支持体の碁盤が載せられる部分の横幅は、対局後の碁盤に桐覆いをかぶせた状態でも支持しうる幅とするのが好ましく、通常は４５〜５０ｃｍ程度である。
また、碁盤支持体の二枚の板の外側面間で作られる幅は碁盤の長手方向の二本の足に接する二本の線（５１ａ、５１ｂ）間の距離よりも狭くする必要があり、碁盤の足の太さによって異なるため特定できないが、通常は１５〜２５ｃｍ、好ましくは１８〜２２ｃｍである。【００１９】  さらに、二枚の框体と碁盤支持体との固定位置を上下に変えられるような手段を講じることによって、碁盤面の高さを碁盤の厚さ、及び椅子の高さに応じて好適な状態に保つことができる。
ここで、固定位置を変える方法としては、碁盤支持体の固定用板にナットを埋め込み、二枚の框体には上下に適当な間隔で孔を設けるとともに、この孔を介してボルトで框体と碁盤支持体を固定する際にその固定位置を変える方法、または、框体と碁盤支持体間をはめ込み方式、あるいはフック方式などで固定位置を変えることができる。【００２０】  框体の上端面に接して碁笥支持板（１３ａ、１３ｂ）が設けられる。碁笥支持板は一枚の板をタボを用いて使用時のみ固定する取り外し可能な板とすることもできるが、一枚の板の端を框体の上端面に蝶番で固定して框体の外側に垂下折りたたみ可能としても良い。また図２に示すように、碁笥支持板自体を二枚に分割折り曲げ可能な構造にして、その一枚を框体の上端面に載置して固定し、他の一枚を框体の外側に垂下折り曲げ可能にすることもできる。
分割折り曲げ方式にする場合は、囲碁対局台の框体と碁盤支持体の固定部分が覆われるように設定することができ、不用意に碁盤をこれらの固定部分に接触させて損傷することを防止することができる。【００２１】  折りたたみ方式の碁笥支持板を支える場合には、図２に例示すような折りたたみ方式の支持板あるいは支柱などを用いることができる。碁笥支持板を二枚に分割折れ曲げ可能な構造にしてその一枚を框体の上端面に載置して固定する場合には、囲碁対局台を折りたたんだ際に囲碁対局台の上面がフラットに繋がるとともに、もっとも小さく折りたたまれるように、分割部分の幅を設定することが好ましい。【００２２】  碁笥支持板の大きさにとくに限定はないが、碁笥のほか、湯のみ、灰皿、お絞りなどが置ける程度とすることが好ましく、例えば、広げた状態で４５×２５ｃｍ程度とすることができる。【００２３】  さらに、二枚の框体間を、碁盤支持体の上端よりも低い位置で、複数枚の平板を水平面内で屈曲可能な状態で繋ぎ合わせてなる歪曲防止板の両端部分で繋ぐこともできる。また、フレキシブルアームからなる歪曲防止板の両端部分で繋ぐこともできる。このようにすることによって、囲碁対局台を広げる際及び折りたたむ際に、囲碁対局台がいびつな状態を経ながら折りたたまれることを防ぐことができる。また、囲碁対局台を広げた状態で歪曲防止板を固定することによって、囲碁対局台に碁盤をセットあるいは取り外す際に、囲碁対局台が予期せず折りたたまれたり、変形したりすることを防止することができる。【００２４】  さらに本発明において、碁盤支持体に碁盤と同様の大きさの平板を載置するか、あるいは碁盤の長手方向の長さと同じ程度の長さの複数の桟を碁盤支持体の上にクロスさせて載せて固定することにより、卓上碁盤用の囲碁対局台としても用いることができる。
これらの場合には、框体と碁盤支持体との固定位置を変えるほか、厚い平板を用いるとか、平板に袴を重ねるとか、桟の高さを変えることなどによって卓上碁盤面の高さを適切に設定することができる。【００２５】  また、本発明の囲碁対局台にはキャスターを設けることもできる。キャスターを設けることによって、移動が容易となることのほか、囲碁対局台を折りたたむ際、及び広げる際に框体の動きが容易になり、小さな力で操作することができる。さらに、狭い場所にも収納が容易になる。
【発明の効果】
【００２６】  本発明の囲碁対局台は、碁盤を椅子に座って使用する高さに安定した状態で支持することができるとともに、碁盤面を碁盤の厚さや椅子の高さに応じて適切な高さに設定できるようになった。また、碁盤の下に対局者の足を入れることができ、長時間でも疲労感なしに碁を楽しむことができるようになった。
また、碁盤の高さに近づけて碁笥支持板を設定できることから、違和感なしに囲碁を楽しむことができるようになった。
さらに、本発明の囲碁対局台は小さく折りたたむことができることから、使用後は狭い場所にも収納可能になった。
【発明を実施するための最良の形態】
【００２７】  以下、本発明の実施の形態を実施例によって説明する。
【実施例１】
【００２８】  図１に示すものと同じものである。框体は高さ５５ｃｍ、幅４５ｃｍ、厚さ１．８ｃｍの平板からなり、碁盤支持体固定のためのボルト用孔が縦二列に３．５ｃｍごとに設けられている。
碁盤支持体は逆凹字型断面を有し、碁盤支持面の幅は２２ｃｍ、長さが４７ｃｍである。框体の上端部には幅２５ｃｍ、長さ４５ｃｍの碁笥支持板の端面を蝶番で固定され框体の外側に垂下折れ曲可能となっている。また、框体に蝶番で碁笥支持板用の支持板が取り付けられている。
【実施例２】
【００２９】  図２に示すものに同じ構造であり、図３、４、５にそれぞれ正面図、平面図、側面図を示した。
框体は凹字形であり、キャスターを含めた高さは５５ｃｍ、床面部分での幅は４５ｃｍである。碁盤支持体を固定するためのボルト用孔が二列に３．５ｃｍ間隔で設けられている。また碁盤支持体は厚さ１．８ｃｍ、幅２０ｃｍ、長さ５２ｃｍの板二枚からなり、それぞれ中央部分で蝶番により折り曲げられるようになっている。また、その両端部分は固定板に蝶番を介して固定されている。框体と碁盤支持体とはボルトを介して固定板部分で挟持されている。【００３０】  碁笥支持板は二枚に分割折れ曲がり可能なものであり、広げた状態で幅２５ｃｍ、長さ４５ｃｍである。その一枚の下面が框体の上端部分に載せて固定されており、他の一枚が垂下折り曲げ可能となっている。その下面には折りたたみ可能な支持板が設けられている。図６には本実施例の囲碁対局台に足付碁盤をセットした状態を示す。また、図７には囲碁対局台の折りたたんだ状態を示す。
【図面の簡単な説明】
【００３１】
【図１】  第一の発明による囲碁対局台と足付碁盤
【図２】  第二の発明による囲碁対局台と足付碁盤
【図３】  実施例２の正面図
【図４】  実施例２の平面図
【図５】  実施例２の側面図
【図６】  実施例２の囲碁対局台に足付碁盤をセットした状態
【図７】  実施例２の囲碁対局台を折りたたんだ状態
【符号の説明】
【００３２】    １ａ、１ｂ        框体
２                碁盤支持体
３ａ、３ｂ        碁笥支持板
４                支持板
５                ボルト用孔
１１ａ、１１ｂ    框体
１２ａ、１２ｂ    碁盤支持体
１３ａ、１３ｂ    碁笥支持板
１４              支持板
１５              ボルト用孔
１６              固定用板
１７、１８        蝶番
ｌ９              キャスター
２０              フレキシブルアームからなる歪曲防止板
２１              歪曲防止板固定部
５０              足付碁盤
５１ａ、５１ｂ    碁盤裏面で二本の足に内側で接する線
【図１】
2005066288.tif 000003
【図２】
2005066288.tif 000004
【図３】
2005066288.tif 000005
【図４】
2005066288.tif 000006
【図５】
2005066288.tif 000007
【図６】
2005066288.tif 000008
【図７】
2005066288.tif 000009